(57)【要約】【課題】外部機器の消耗部品の寿命が到来して突然外部機器を駆動させることができなくなることを抑制することが可能なガス検知器を提供する。【解決手段】このガス検知器１００は、検知対象ガスを検知するガス検知部２と、異常状態を検知する異常状態検知部２ａと、ガス検知部２または異常状態検知部２ａにおいて検知対象ガスおよび異常状態のいずれかを検知したことに基づき駆動する回転灯Ｅを、配線Ｃにより接続する配線接続部１００ａと、配線Ｃを介して回転灯Ｅの駆動状態を切り換える切換制御を行い、切換制御に基づいて、回転灯Ｅの駆動時間を算出する制御部７と、を備える。【選択図】図１
2020201543.tif 000002
【特許請求の範囲】
【請求項１】
検知対象ガスを検知するガス検知部と、
異常状態を検知する異常状態検知部と、
前記ガス検知部または前記異常状態検知部において前記検知対象ガスおよび前記異常状態のいずれかを検知したことに基づき駆動する外部機器を、配線により接続する配線接続部と、
前記配線を介して前記外部機器の駆動状態を切り換える切換制御を行い、前記切換制御に基づいて、前記外部機器の駆動時間を算出する制御部と、を備える、ガス検知器。
【請求項２】
前記配線を介した前記外部機器との接続状態を切り換える接点切換部をさらに備え、
前記制御部は、前記接点切換部の切り換えに基づいて、前記切換制御を行い、前記外部機器を駆動させて、前記外部機器の前記駆動時間を算出するように構成されている、請求項１に記載のガス検知器。
【請求項３】
前記制御部は、前記検知対象ガスまたは前記異常状態を検知したことに基づき、前記切換制御を行い、前記外部機器がガス検知または前記異常状態を報知する動作を行うように制御する、請求項１または２に記載のガス検知器。
【請求項４】
前記外部機器は、電池により駆動される機器であって、
前記電池とは別の電源部を備える、請求項１〜３のいずれか１項に記載のガス検知器。
【請求項５】
前記制御部は、前記外部機器の前記駆動時間を積算した積算時間を取得するように構成されており、
前記積算時間を記憶する記憶部をさらに備える、請求項１〜４のいずれか１項に記載のガス検知器。
【請求項６】
前記記憶部に記憶された前記積算時間をリセットする操作部をさらに備える、請求項５に記載のガス検知器。
【発明の詳細な説明】
【技術分野】
【０００１】
この発明は、ガス検知器に関し、特に、検知対象ガスを検知するガス検知部を備えるガス検知器に関する。
【背景技術】
【０００２】
従来、検知対象ガスを検知するガス検知部を備えるガス検知器が知られている（たとえば、特許文献１参照）。
【０００３】
上記特許文献１には、検出ガスを検知するガスセンサ素子と、ブザーおよびランプにより報知を行う外部機器に駆動信号を送信する警報器回路とを備えるガス警報器が開示されている。外部機器は、ブザーおよびランプに電力を供給する太陽電池を備えている。ガス警報器は、太陽電池を備えていることから、構造が複雑化しているとともに、発電を行うために設置場所が屋外に限られる。
【０００４】
そこで、上記特許文献１には明記されていないが、従来、白熱電球などの報知部と、報知部に電力を供給する電池（化学電池）とを備えており、簡易な構成を有する外部機器（単純機器）が知られている。このような外部機器（単純機器）は、ガス検知器に接続されており、ガス検知器により駆動が制御されるように構成されている。
【先行技術文献】
【特許文献】
【０００５】
【特許文献１】特開２０１３−５８０６２号公報
【発明の概要】
【発明が解決しようとする課題】
【０００６】
しかしながら、上記のような従来の外部機器（単純機器）の駆動を制御するガス検知器では、白熱電球が切れた場合や電池の残量がなくなった場合（外部機器の消耗部品の寿命が到来した場合）に、突然外部機器を駆動させることができなくなるという問題点がある。なお、このような問題点は、ガス漏れなどの早期発見を困難にするため好ましくない。
【０００７】
この発明は、上記のような課題を解決するためになされたものであり、この発明の１つの目的は、外部機器の消耗部品の寿命が到来して突然外部機器を駆動させることができなくなることを抑制することが可能なガス検知器を提供することである。
【課題を解決するための手段】
【０００８】
この発明の一の局面によるガス検知器は、検知対象ガスを検知するガス検知部と、異常状態を検知する異常状態検知部と、ガス検知部または異常状態検知部において検知対象ガスおよび異常状態のいずれかを検知したことに基づき駆動する外部機器を、配線により接続する配線接続部と、配線を介して外部機器の駆動状態を切り換える切換制御を行い、切換制御に基づいて、外部機器の駆動時間を算出する制御部と、を備える。なお、異常状態とは、ガス検知部で判断する以外の異常状態を意味し、例えば機器故障や、圧力異常、温度異常を含む。
【０００９】
この発明の一の局面によるガス検知器では、ガス検知部と、異常状態検知部と、配線を介して外部機器の駆動状態を切り換える切換制御を行い、切換制御に基づいて、外部機器の駆動時間を算出する制御部とを設ける。これにより、ガス検知器は、外部機器の駆動時間を駆動毎に取得することができるので、外部機器自体に白熱電球や電池などの消耗部品（１次電池や白熱電球など）の寿命を予測やカウントする機能がない場合でも、消耗部品の寿命が到来するのを事前に予測することができる。このため、外部機器の消耗部品の寿命が到来する前に、消耗部品を交換することが可能になるので、外部機器の消耗部品の寿命が到来して突然外部機器を駆動させることができなくなることを抑制することができる。
【００１０】
上記一の局面によるガス検知器において、好ましくは、配線を介した外部機器との接続状態を切り換える接点切換部をさらに備え、制御部は、接点切換部の切り換えに基づいて、切換制御を行い、外部機器を駆動させて、外部機器の駆動時間を算出するように構成されている。このように構成すれば、簡易な構成である接点切換部を用いて、外部機器の消耗部品（１次電池や白熱電球など）の寿命が到来して突然外部機器を駆動させることができなくなることを抑制することができる。
【００１１】
上記一の局面によるガス検知器において、好ましくは、制御部は、検知対象ガスまたは異常状態を検知したことに基づき、切換制御を行い、外部機器がガス検知または異常状態を報知する動作を行うように制御する。このように構成すれば、外部機器の消耗部品（１次電池や白熱電球など）の寿命が到来して突然外部機器を駆動させることができなくなり、ガス検知の報知を行うことができなくなることを抑制することができる。
【００１２】
上記一の局面によるガス検知器において、好ましくは、外部機器は、電池により駆動される機器であって、電池とは別の電源部を備える。このように構成すれば、外部機器の電池の残量がなくなり、突然外部機器を駆動させることができなくなることを抑制することができる。
【００１３】
上記一の局面によるガス検知器において、好ましくは、制御部は、外部機器の駆動時間を積算した積算時間を取得するように構成されており、積算時間を記憶する記憶部をさらに備える。このように構成すれば、ガス検知器の記憶部に積算時間を記憶しておくことができるので、ガス検知器内での制御により、突然外部機器を駆動させることができなくなることを抑制することができる。
【００１４】
この場合、好ましくは、記憶部に記憶された積算時間をリセットする操作部をさらに備える。このように構成すれば、外部機器の消耗部品を交換する際や、外部機器自体を交換する際に、操作部により積算時間をリセットして、正しく積算時間をカウントできるようにすることができる。
【発明の効果】
【００１５】
本発明によれば、上記のように、外部機器の消耗部品の寿命が到来して突然外部機器を駆動させることができなくなることを抑制することができる。
【図面の簡単な説明】
【００１６】
【図１】実施形態によるガス検知器の全体構成を示したブロック図である。
【図２】実施形態によるガス検知器の全体構成を模式的に示した正面図である。
【図３】実施形態によるガス検知器の制御部による制御処理を示したフローチャートである。
【発明を実施するための形態】
【００１７】
以下、本発明を具体化した実施形態を図面に基づいて説明する。
【００１８】
（ガス検知器の構成）
図１〜図３を参照して、本発明の実施形態によるガス検知器１００の全体構成について説明する。
【００１９】
図１に示すガス検知器１００は、プラント（工場を含む）などに設置して用いられる。ガス検知器１００は、１次電池Ｅ１により駆動される機器である回転灯Ｅに配線Ｃ（ケーブル）によって接続されており、回転灯Ｅおよび後述する集中管理装置Ｄとともに検知対象ガスを検知してプラントの作業者などに報知するシステムを構築している。なお、回転灯Ｅは、特許請求の範囲の「外部機器」の一例である。
【００２０】
すなわち、ガス検知器１００は、検知対象ガスを検知したことに基づき回転灯Ｅを駆動させるように構成されている。なお、検知対象ガスとしては、可燃性ガス、酸素、硫化水素および一酸化炭素などが挙げられる。検知対象ガスの数は、単一および複数のいずれであってもよい。
【００２１】
ガス検知器１００は、プラント内の特に検知対象ガスの漏れが発生しやすい場所などに設置される。ガス検知器１００は、壁掛けや、平坦面への固定などの方法により設置される。回転灯Ｅは、プラント内の比較的人目に付きやすい場所などに設置される。回転灯Ｅは、ガス検知器１００の近傍位置および遠隔位置のいずれに設置されてもよい。
【００２２】
図１に示すように、ガス検知器１００は、配線接続部１００ａと、電源部１と、ガス検知部２（ガスセンサ）と、異常状態検知部２ａと、接点切換部３と、単一の表示部４と、ランプユニット５と、操作部６と、制御部７と、記憶部８と、無線通信部９とを備えている。
【００２３】
回転灯Ｅは、１次電池Ｅ１と、報知部Ｅ２とを備えている。報知部Ｅ２は、報知を行う構成として、ランプＥ２１および回転機構Ｅ２２を含んでいる。ランプＥ２１は、白熱電球により構成されている。なお、ランプＥ２１は、ＬＥＤにより構成されていてもよい。
【００２４】
〈配線接続部の構成〉
配線接続部１００ａは、配線Ｃを接続する端子であり、回転灯Ｅを配線Ｃにより接続するように構成されている。すなわち、配線接続部１００ａは、回転灯Ｅと有線接続を行うための接続口である。なお、配線接続部１００ａは、単一の端子および複数の端子のいずれであってもよい。
【００２５】
〈電源部の構成〉
電源部１は、回転灯Ｅの１次電池Ｅ１とは別の構成である。電源部１は、１次電池１１および電源回路１２を含んでいる。電源回路１２は、１次電池１１の電圧を変換して、電力をガス検知器１００の各部に出力（供給）するように構成されている。なお、電源部１は、１次電池１１に代えて２次電池を備えていてもよい。
【００２６】
〈ガス検知部および異常状態検知部の構成〉
ガス検知部２は、検知対象ガスを検知するように構成されている。ガス検知部２は、プラント内などにおける自然拡散により到達した検知対象ガスのガス濃度を測定可能に構成されている。ガス検知部２は、いかなる方式（たとえば、定電位電解式）のセンサであってもよい。
【００２７】
異常状態検知部２ａは、ガス検知器１００の機器故障を検知する故障検知部、圧力センサ、温度センサ、タイマなどの１つを少なくとも含んで構成されていればよい。なお、異常状態とは、ガス検知部２で判断する以外の異常状態を意味し、例えば機器故障や、圧力異常、温度異常、あるいは予め定められたガス検知器１００の交換・点検時期を過ぎた状態などを含んでいる。
【００２８】
〈接点切換部の構成〉
接点切換部３は、配線Ｃを介した回転灯Ｅとガス検知器１００との接続状態を切り換えるように構成されている。すなわち、接点切換部３は、回転灯Ｅに対して電気的に接続されている状態（オン状態）と、電気的に接続されていない状態（オフ状態）とを切り換えるように構成されている。
【００２９】
なお、電気的に接続されていない状態（オフ状態）には、回転灯Ｅの１次電池Ｅ１から各部への電力供給が物理的に遮断されている状態以外にも、回転灯Ｅの１次電池Ｅ１からの電力供給が電源ＩＣまで行われ、電源ＩＣから各部に電力供給が行われていない状態でもよい。
【００３０】
具体的には、接点切換部３は、ａ接点のリレースイッチにより構成されており、配線接続部１００ａおよび配線Ｃを介して回転灯Ｅの電気回路に接続されている。ここで、ａ接点とは、リレースイッチを操作していない場合（オフ状態）、回路に電流が流れないように接点が離れており（ノーマルオープン）、リレースイッチを操作している場合（オン状態）、回路に電流が流れるように接点が閉じる接点構成である。要するに、接点切換部３は、回転灯Ｅのリレースイッチとしての機能を有している。
【００３１】
接点切換部３が開状態（オフ状態）から閉状態（オン状態）になると、回転灯Ｅは、駆動を開始する。すなわち、接点切換部３が開状態（オフ状態）から閉状態（オン状態）になると、１次電池Ｅ１から回転灯ＥのランプＥ２１に電力が供給されて、ランプＥ２１が点灯するとともに、回転灯Ｅの回転機構Ｅ２２が回動する。
【００３２】
一方、接点切換部３が閉状態（オン状態）から開状態（オフ状態）になると、回転灯Ｅは、駆動を停止する。すなわち、接点切換部３が閉状態（オン状態）から開状態（オフ状態）になると、１次電池Ｅ１からランプＥ２１に電力が供給されなくなり、ランプＥ２１が消灯するとともに、回転灯Ｅの回転機構Ｅ２２が停止する。
【００３３】
なお、ガス検知器１００は、所定の設定（例えば接点接続の接続先の選択）により、どのようなとき（警報時、故障時、他の異常時など）に回転灯Ｅを駆動するかを選択することが可能である。
【００３４】
〈表示部の構成〉
図２に示す単一の表示部４は、液晶パネルを含んでいる。表示部４には、メイン表示領域４１と、メイン表示領域４１の下方側に配置されるサブ表示領域４２とが設けられている。
【００３５】
メイン表示領域４１は、複数（４つ）の７セグメントディスプレイｓ１により構成されている。サブ表示領域４２は、複数（５つ）の７セグメントディスプレイｓ２により構成されている。なお、サブ表示領域４２の７セグメントディスプレイｓ２は、メイン表示領域４１の７セグメントディスプレイｓ１よりも小さい。
【００３６】
表示部４の表示例としては、たとえば、メイン表示領域４１に検知対象ガスのガス濃度が表示されるとともに、サブ表示領域４２に検知対象ガスの種類（ＣＯなど）が表示される。
【００３７】
この他、メイン表示領域４１に回転灯Ｅの駆動時間（駆動継続時間）が「時間」単位で表示されるとともに、サブ表示領域４２に回転灯Ｅの駆動時間が「分」および「秒」の単位で表示される。具体的には、所定の時点における回転灯Ｅの駆動時間が２時間１０分１５秒であるならば、メイン表示領域４１に「０００２」と表示されるとともに、サブ表示領域４２に「１０−１５」と表示される。なお、一例ではあるが、表示部４は、回転灯Ｅの駆動時間を、回転灯Ｅが駆動している間、継続して表示するように構成されていてもよい。
【００３８】
この他、回転灯Ｅの駆動時間を制御部７（図１参照）が積算した積算時間が、メイン表示領域４１およびサブ表示領域４２に表示されてもよい。積算時間の詳細については後述する。具体的には、積算時間が１０２時間１０分０秒であるならば、上記駆動時間の表示と同様に、メイン表示領域４１に「０１０２」と表示されるとともに、サブ表示領域４２に「１０−００」と表示される。なお、一例ではあるが、表示部４は、積算時間を、ユーザが操作部６に対して所定の表示操作を行った際に、表示するように構成されていてもよい。
【００３９】
〈ランプユニットの構成〉
図２に示すように、ランプユニット５は、緑色ランプ５１と、黄色ランプ５２と、赤色ランプ５３とを有している。
【００４０】
緑色ランプ５１は、ガス検知器１００の電源がオンの状態で点滅し、電源がオフの状態で消灯する。黄色ランプ５２は、通常時は点灯しておらず（消えており）、ガス検知器１００に故障箇所がある場合に点滅する。赤色ランプ５３は、通常時は点灯しておらず（消えており）、警報時、すなわちガス検知器１００が検知対象ガスを検知した場合に点滅する。各ランプは点滅に限らず、点灯するようにしてもよく、またランプの点滅タイミングや照度を変更することで、１つのランプで２以上の状態を報知できるようにしてもよい。
【００４１】
〈操作部の構成〉
操作部６は、各々がホールＩＣを有し、磁性操作部材（図示せず）を近接させることで操作する複数（４つ）のボタン６１により形成されている。操作部６は、所定のリセット操作がなされることにより、記憶部８に記憶された積算時間をリセットするように構成されている。たとえば、操作部６は、所定の操作モードにおいて、いずれかのボタン６１に対して継続して磁性操作部材を所定時間以上近接させた場合に、記憶部８（図１参照）に記憶された積算時間をリセット（ゼロにする）するように構成されている。このような操作部６に対するリセット操作は、回転灯Ｅの１次電池Ｅ１を交換する際や、回転灯Ｅ自体を交換する際などに行われる。
【００４２】
〈制御部の構成〉
図１に示す制御部７は、たとえば、ＣＰＵとメモリなどの記憶部とを備えて構成されている。制御部７は、配線Ｃを介して回転灯Ｅの駆動状態を切り換える切換制御を行い、切換制御に基づいて、回転灯Ｅの駆動時間を算出するように構成されている。
【００４３】
制御部７は、接点切換部３の切り換えに基づいて、切換制御を行い、回転灯Ｅを駆動させて、回転灯Ｅの駆動時間を算出するように構成されている。
【００４４】
具体的には、制御部７は、切換制御として、接点切換部３の接点状態をオン状態からオフ状態に切り換えることにより、配線Ｃを介して回転灯Ｅを駆動している状態から停止状態に切り換えるように構成されている。また、制御部７は、回転灯Ｅの駆動時間を１秒単位で算出する１秒タイマ７１を含んでいる。制御部７は、回転灯Ｅが駆動している間において、１秒タイマ７１により駆動時間を算出するように構成されている。この際、制御部７は、１秒タイマ７１により算出した駆動時間を表示部４に表示可能に構成されている。
【００４５】
制御部７は、ガス検知部２において検知対象ガスを検知したことに基づき、切換制御を行い、回転灯Ｅがガス検知を報知する動作を行うように（回転灯Ｅを停止状態から駆動している状態に切り換えるように）制御するように構成されている。また、制御部７は、ガス検知部２において検知対象ガスを検知しなくなったことに基づき、切換制御を行い、回転灯Ｅを駆動している状態（報知状態）から停止状態に切り換えるように制御するように構成されている。すなわち、制御部７は、ガス検知部２における検知対象ガスの検知状態の変化をトリガーとして、切換制御を行うように構成されている。
【００４６】
なお、制御部７は、ガス検知器１００に故障が生じたこと（ガス検知器１００の異常状態を検知したこと）に基づき、切換制御を行うように構成されていてもよい。この他、制御部７は、ガス検知器１００の点検が完了したことに基づき、点検結果を報知するために切換制御を行うように構成されていてもよい。なお、切換制御は、ガス検知時のみに行ってもよく、異常検知時のみに行ってもよく、ガス検知時と異常検知時とに行ってもよい。
【００４７】
制御部７は、回転灯Ｅの駆動時間を積算した積算時間を取得するように構成されている。具体的には、制御部７は、回転灯Ｅの駆動時間を積算した積算時間を２分単位で取得する２分タイマ７２を含んでいる。制御部７は、２分タイマ７２により積算時間を取得するとともに、２分の周期ごとに積算時間を記憶する記憶部８に記憶された積算時間に関する情報を更新するように構成されている。
【００４８】
〈無線通信部の構成〉
図１に示すように、無線通信部９は、集中管理装置Ｄとの間で無線通信を確立するように構成されている。ガス検知器１００は、無線通信部９を介して集中管理装置Ｄに回転灯Ｅの駆動時間や積算時間などの各種の情報を送信可能に構成されている。なお、集中管理装置Ｄは、プラント内などに設置された複数の回転灯Ｅなどの管理対象機器と無線通信可能に構成されており、管理対象機器を集中管理するように構成されている。
【００４９】
（制御部による制御処理フロー）
次に、図３を参照して、制御部７による制御処理フローについて説明する。
【００５０】
まず、ステップＳ１において、制御部７により、検知対象ガスが検知されたことを示す信号がガス検知部２から取得される。
【００５１】
次に、ステップＳ２において、制御部７により、接点切換部３の接続状態がオフ状態からオン状態に切り換えられる（切換制御が行われる）。すなわち、制御部７により、回転灯Ｅが駆動されて、回転灯Ｅの１次電池Ｅ１が消耗される状態になる。
【００５２】
次に、ステップＳ３において、制御部７により、１秒タイマ７１および２分タイマ７２が駆動される。
【００５３】
次に、ステップＳ４において、制御部７により、１秒タイマ７１がカウントアップされる。すなわち、回転灯Ｅの駆動時間が１秒加算される。
【００５４】
次に、ステップＳ５において、制御部７により、２分タイマ７２に基づき積算時間を記憶部８に記憶する（積算時間を更新する）２分の周期が経過したか否かが判断される。そして、２分の周期が経過しているのであれば、ステップＳ６に進み、２分の周期が経過していないのであれば、ステップＳ７に進む。
【００５５】
次に、ステップＳ６において、制御部７により、記憶部８の積算時間が更新される。たとえば、記憶部８に既に記憶されている積算時間が１００時間１０分である場合には、記憶部８の積算時間が１００時間１２分に更新される。そして、ステップＳ７に進む。この際、制御部７により、無線通信部９を介して集中管理装置Ｄに積算時間の情報を送信する処理が行われてもよい。
【００５６】
次に、ステップＳ７において、制御部７により、接点切換部３の接続状態がオン状態であるか否かが判断される（切換制御が行われていないかが判断される）。すなわち、回転灯Ｅが駆動し続けているか否かが判断される。そして、回転灯Ｅが駆動し続けているならば、ステップＳ４に戻る。回転灯Ｅが停止（接点切換部３の接続状態がオフ状態）しているならば、制御部７による処理が完了する。
【００５７】
（実施形態の効果）
以下、本実施形態の効果について説明する。
【００５８】
本実施形態では、上記のように、ガス検知部２と、異常状態検知部２ａと、配線Ｃを介して回転灯Ｅの駆動状態を切り換える切換制御を行い、切換制御に基づいて、回転灯Ｅの駆動時間を算出する制御部７とを設ける。これにより、ガス検知器１００は、回転灯Ｅの駆動時間を駆動毎に取得することができるので、回転灯Ｅ自体に白熱電球や１次電池などの消耗部品（１次電池や白熱電球など）の寿命を予測やカウントする機能がない場合でも、消耗部品の寿命が到来するのを事前に予測することができる。このため、回転灯Ｅの消耗部品の寿命が到来する前に、消耗部品を交換することが可能になるので、回転灯Ｅの消耗部品の寿命が到来して突然回転灯Ｅを駆動させることができなくなることを抑制することができる。
【００５９】
本実施形態では、上記のように、配線Ｃを介した回転灯Ｅとの接続状態を切り換える接点切換部３をさらに備え、制御部７は、接点切換部３の切り換えに基づいて、切換制御を行い、回転灯Ｅを駆動させて、回転灯Ｅの駆動時間を算出するように構成されている。これにより、簡易な構成である接点切換部３を用いて、回転灯Ｅの消耗部品（１次電池や白熱電球など）の寿命が到来して突然回転灯Ｅを駆動させることができなくなることを抑制することができる。
【００６０】
本実施形態では、上記のように、制御部７は、検知対象ガスまたは異常状態を検知したことに基づき、切換制御を行い、回転灯Ｅがガス検知または異常状態を報知する動作を行うように制御する。これにより、回転灯Ｅの消耗部品（１次電池や白熱電球など）の寿命が到来して突然回転灯Ｅを駆動させることができなくなり、ガス検知の報知を行うことができなくなることを抑制することができる。
【００６１】
本実施形態では、上記のように、回転灯Ｅは、１次電池Ｅ１により駆動される機器であって、１次電池Ｅ１とは別の電源部１を備える。これにより、回転灯Ｅの１次電池Ｅ１の残量がなくなり、突然回転灯Ｅを駆動させることができなくなることを抑制することができる。
【００６２】
本実施形態では、上記のように、制御部７は、回転灯Ｅの駆動時間を積算した積算時間を取得するように構成されており、積算時間を記憶する記憶部８をさらに備える。これにより、ガス検知器１００の記憶部８に積算時間を記憶しておくことができるので、ガス検知器１００内での制御により、突然回転灯Ｅを駆動させることができなくなることを抑制することができる。
【００６３】
本実施形態では、上記のように、記憶部８に記憶された積算時間をリセットする操作部６をさらに備える。これにより、回転灯Ｅの消耗部品（１次電池や白熱電球など）を交換する際や、回転灯Ｅ自体を交換する際に、操作部６により積算時間をリセットして、正しく積算時間をカウントできるようにすることができる。
【００６４】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６５】
たとえば、上記実施形態では、本発明の外部機器を、回転灯により構成して回転灯により報知を行うように構成した例を示したが、本発明はこれに限られない。本発明では、本発明の外部機器を、ブザーや電磁弁などの回転灯以外の装置としてもよい。
【００６６】
また、上記実施形態では、ガス検知器の状態や検出状況を示すためにランプユニットの各ランプが点灯するように構成した例を示したが、本発明はこれに限られない。本発明では、ランプユニットの各ランプに加えて、またはランプユニットの各ランプに代えて、集中管理装置でガス検知器の状態や検出状況を光や音などで報知するようにしてもよく、またガス検知器から音による報知を行うようにしてもよい。
【００６７】
また、上記実施形態では、電源部が電池を含み、ガス検知器の各部に電池からの電力を供給した例を示したが、本発明はこれに限られない。本発明では、たとえば、ガス検知器の各部に商用電源からの電力を供給してもよい。
【００６８】
また、上記実施形態では、ガス検知器に単一の外部機器が接続された例を示したが、本発明はこれに限られない。本発明では、ガス検知器に複数の外部機器が接続されてもよい。
【００６９】
また、上記実施形態では、単一の表示部を備え、単一の表示部にメイン表示領域とサブ表示領域とを設けた例を示したが、本発明はこれに限られない。本発明では、複数の表示部を備え、互いに異なる表示部にメイン表示領域とサブ表示領域とをそれぞれ設けてもよい。
【００７０】
また、上記実施形態では、表示部に、メイン表示領域とサブ表示領域との２つの表示領域を設けた例を示したが、本発明はこれに限られない。本発明では、表示部に、１つ、または、３つ以上の表示領域を設けてもよい。
【００７１】
また、上記実施形態では、外部機器の駆動状態を切り換える切換制御を、ａ接点のリレースイッチにより行うようにガス検知器を構成した例を示したが、本発明はこれに限られない。本発明では、外部機器の駆動状態を切り換える切換制御を、トランジスタなどのスイッチにより行うようにガス検知器を構成してもよい。
【００７２】
また、上記実施形態では、外部機器の駆動状態を切り換える切換制御を、機械的な構成であるａ接点のリレースイッチにより行うようにガス検知器を構成した例を示したが、本発明はこれに限られない。本発明では、外部機器の駆動状態を切り換える切換制御を、ソフトウェアにより行うようにガス検知器を構成してもよい。
【００７３】
なお、切換制御を、トランジスタなどのスイッチや、ソフトウェアにより行う場合、外部機器の駆動状態のオンとオフとを切り換えるだけではなく、たとえば、外部機器としての回転灯の駆動状態を、第１警報状態におけるランプの継続的な点灯状態と、第２警報状態におけるランプの点滅状態とに切り換えてもよい。第１警報状態とは、たとえば、検知対象ガスの濃度が第１閾値以上の場合である。第２警報状態とは、たとえば、検知対象ガスの濃度が第１閾値よりも大きい第２閾値以上の場合（第１警報状態よりも、より危険な状態の場合）である。
【００７４】
また、上記実施形態では、積算時間を２分単位により積算して記憶部に記憶するように構成した例を示したが、本発明はこれに限られない。本発明では、たとえば、積算時間を１分単位や１０分単位などにより積算して記憶部に記憶するように構成してもよい。
【００７５】
また、上記実施形態の構成に加えて、ガス検知器は、外部機器の駆動時間に基づいて、外部機器の１次電池の残量が少なくなってきたことを判断し、報知するように構成してもよく、また外部機器自体の寿命を判断し、報知するように構成してもよい。
【００７６】
また、上記実施形態の構成に加えて、外部機器の電池寿命の予測を行うように構成してもよい。この場合、待機電力を考慮して予測を行うようにしてもよい。
【００７７】
また、上記実施形態では、操作部にホールＩＣを有するように構成した例を示したが、本発明はこれに限られない。本発明では、たとえば、操作部を単純な押しボタン式の操作部などにより構成してもよい。
【００７８】
また上記実施形態では、操作部をガス検知器以外の機器（例えば携帯端末）に設け、ガス検知器は携帯端末の操作部からの指示を受け付けると指示を実行するようにしてもよい。
【００７９】
また、上記実施形態では、ガス検知器は、無線通信部を介して集中管理装置と通信可能な例を示したが、本発明はこれに限られない。本発明では、たとえば、ガス検知器は、無線通信部を介して他のガス検知器と通信できるようにしてもよい。この場合、一のガス検知器からの通信を受けた他のガス検知器が警報動作を行うようにしてもよく、他のガス検知器に接続される外部機器の駆動を行うようにしてもよい。
【００８０】
また、上記実施形態では、ガス検知器は、無線通信部を備えるように構成した例を示したが、本発明はこれに限られない。本発明では、たとえば、無線通信部を備えないようにしてもよく、無線通信部に代えて有線通信部を備えるようにしてもよい。
【００８１】
また、上記実施形態では、外部機器の電源として１次電池を備える例を示したが、本発明はこれに限られない。本発明では、外部機器の電源として２次電池を備えるようにしてもよく、外部機器の電源として商用電源を用いてもよい。
【００８２】
また、上記実施形態では、説明の便宜上、制御部の処理を処理フローに沿って順番に処理を行うフロー駆動型のフローを用いて説明したが、本発明はこれに限られない。本発明では、制御部の処理を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００８３】
１  電源部
２  ガス検知部
３  接点切換部
６  操作部
７  制御部
８  記憶部
１００  ガス検知器
１００ａ  配線接続部
Ｃ  配線
Ｅ  回転灯（外部機器）
Ｅ１  １次電池
【図１】
2020201543.tif 000003
【図２】
2020201543.tif 000004
【図３】
2020201543.tif 000005